(57)【要約】【課題】本発明はブラインドを組み合わせたパーティションを提供し、またパーティションからブラインドを容易に取り付け、取り外しができるようにしたものである。【解決手段】本発明のパーティションは、少なくとも２本の立設した支柱と、上記各支柱を室内等に固定する手段と、互いに隣り合う上記各支柱の互いに対向する面にそれぞれ設けた縦方向に伸びる溝と、上記隣り合う支柱の溝間に挿入した、四角状の枠と樹脂製の透明の背板とからなるブラインド取付用の前面開放の箱体とよりなる事を特徴とする。また、ブラインド取付用の前面開放の箱体は、パーティションを構成する隣り合う支柱の互いに対向する面にそれぞれ設けた縦方向に伸びる溝間に挿入する、四角状の枠と樹脂製の透明の背板とからなる事を特徴とする。また、上記前面開放の箱体を箱体固定用枠を介して支柱に固定せしめる事を特徴とする。【選択図】図１
2010209580.tif 000002
【特許請求の範囲】
【請求項１】
少なくとも２本の立設した支柱と、上記各支柱を室内等に固定する手段と、互いに隣り合う上記各支柱の互いに対向する面にそれぞれ設けた縦方向に伸びる溝と、上記隣り合う支柱の溝間に挿入した、四角状の枠と樹脂製の透明の背板とからなるブラインド取付用の前面開放の箱体とよりなる事を特徴とするパーティション。
【請求項２】
少なくとも２本の立設した支柱と、上記各支柱を室内等に固定する手段と、互いに隣り合う上記各支柱の互いに対向する面にそれぞれ設けた縦方向に伸びる溝と、上記隣り合う支柱の溝間に挿入した四角状の箱体固定用枠と、上記箱体固定用枠の少なくとも対向する２辺の枠部分の内側面にそれぞれ設けた長手方向に伸びる溝と、上記箱体固定用枠の枠部分の溝間に挿入した、四角状の枠と樹脂製の透明の背板とからなるブラインド取付用の前面開放の箱体とよりなる事を特徴とするパーティション。
【請求項３】
パーティションを構成する隣り合う支柱の互いに対向する面にそれぞれ設けた縦方向に伸びる溝間に挿入する、四角状の枠と樹脂製の透明の背板とからなる事を特徴とするブラインド取付用の前面開放の箱体。
【請求項４】
パーティションを構成する隣り合う支柱の互いに対向する面にそれぞれ設けた縦方向に伸びる溝間に挿入する四角状の箱体固定用枠の少なくとも対向する２辺の枠部分の内側面にそれぞれ設けた長手方向に伸びる溝に挿入する、四角状の枠と樹脂製の透明の背板とからなる事を特徴とするブラインド取付用の前面開放の箱体。
【発明の詳細な説明】
【技術分野】
【０００１】
本発明はパーティション及びパーティションに用いるブラインド取付用の前面開放の箱体、特にブラインドを容易に取り付け、取り外しができるパーティション及びそのパーティションに用いるブラインド取付用の前面開放の箱体に関するものである。
【背景技術】
【０００２】
従来、部屋内等を区切るためのパーティションはある。
【発明の概要】
【発明が解決しようとする課題】
【０００３】
本発明はブラインドを組み合わせたパーティションを提供し、またパーティションからブラインドを容易に取り付け、取り外しができるようにしたものである。
【課題を解決するための手段】
【０００４】
本発明のパーティションは、少なくとも２本の立設した支柱と、上記各支柱を室内等に固定する手段と、互いに隣り合う上記各支柱の互いに対向する面にそれぞれ設けた縦方向に伸びる溝と、上記隣り合う支柱の溝間に挿入した、四角状の枠と樹脂製の透明の背板とからなるブラインド取付用の前面開放の箱体とよりなる事を特徴とする。
【０００５】
また、本発明のパーティションは、少なくとも２本の立設した支柱と、上記各支柱を室内等に固定する手段と、互いに隣り合う上記各支柱の互いに対向する面にそれぞれ設けた縦方向に伸びる溝と、上記隣り合う支柱の溝間に挿入した四角状の箱体固定用枠と、上記箱体固定用枠の少なくとも対向する２辺の枠部分の内側面にそれぞれ設けた長手方向に伸びる溝と、上記箱体固定用枠の枠部分の溝間に挿入した、四角状の枠と樹脂製の透明の背板とからなるブラインド取付用の前面開放の箱体とよりなる事を特徴とする。
【０００６】
また、ブラインド取付用の前面開放の箱体は、パーティションを構成する隣り合う支柱の互いに対向する面にそれぞれ設けた縦方向に伸びる溝間に挿入する、四角状の枠と樹脂製の透明の背板とからなる事を特徴とする。
【０００７】
また、ブラインド取付用の前面開放の箱体は、パーティションを構成する隣り合う支柱の互いに対向する面にそれぞれ設けた縦方向に伸びる溝間に挿入する四角状の箱体固定用枠の少なくとも対向する２辺の枠部分の内側面にそれぞれ設けた長手方向に伸びる溝に挿入する、四角状の枠と樹脂製の透明の背板とからなる事を特徴とする。
【発明の効果】
【０００８】
本発明のパーティション及びパーティションに用いるブラインド取付用の前面開放の箱体によれば、パーティションにブラインドを容易に取り付け、取り外しができるという大きな利益がある。
【０００９】
また、箱体は樹脂製であるのでコストを下げることができる。
【図面の簡単な説明】
【００１０】
【図１】本発明のパーティションの説明用分解図である。
【図２】本発明のパーティションの前面開放の箱体の拡大斜視図である。
【図３】本発明のパーティションの縦断拡大平面図である。
【図４】本発明のパーティションの縦断拡大側面図である。
【発明を実施するための形態】
【００１１】
以下図面によって本発明の実施例を説明する。
【実施例１】
【００１２】
本発明のパーティションは、図１〜図４に示すように、少なくとも２本からなる立設した支柱１と、上記互いに隣り合う支柱１の互いに対向する面にそれぞれ設けた縦方向に伸びるパネル等挿入用の溝２と、上記各支柱１の下端間を連結する下部フレーム３と、上記各支柱１の上端に設けた、例えば室内等の天井を押圧して上記支柱１を固定する固定具等の固定手段４と、隣り合う支柱１の溝２間に挿入した、上記支柱１の下端部から略中間部までを仕切る下部パネル５と、上記隣り合う支柱１の溝２間に挿入され、上記下部パネル５の上端に載置したアルミ製の四角状の枠６と、上記枠６の上側枠部分７a、下側枠部分７b、左側枠部分８a、右側枠部分８bの内側面にそれぞれ設けた長手方向に伸びる溝９と、上記上側枠部分７a、下側枠部分７b、左側枠部分８a、右側枠部分８bの溝９間に挿入される、四角状の枠１０と樹脂製の透明の背板１１とからなる前面開放の箱体１２と、上記箱体１２内上部に設けたブラインド１３を固定するブラケット１４とよりなる。
【００１３】
本発明の前面開放の箱体１２は上記のような構成であるから、上記箱体１２の四角状の枠１０の４辺の枠部分が上記アルミ製の四角状の枠６の４辺の枠部分の溝９に嵌合され、上記箱体１２を上記支柱１に固定することができ、また、上記支柱１から上記アルミ製の枠６又は箱体１２を外さなくても、上記箱体１２からブラインド１３を容易に取り付け、取り外しすることができるという大きな利益がある。
【００１４】
また、上記箱体は樹脂製であるのでコストを下げることができる。
【００１５】
なお、上記アルミ製の枠６の上側枠部分７a、下側枠部分７b、左側枠部分８a、右側枠部分８bの溝９のうち、例えば左側枠部分８a、右側枠部分８bの溝９を省略せしめて、上記箱体１２を上記上側枠部分７aと下側枠部分７bの溝９に挿入せしめて上記アルミ製の枠６に固定するようにしてもよい。
【００１６】
また、上記アルミ製の四角状の枠６を省略して、上記支柱１の溝２間に直接前面開放の箱体１２を挿入せしめて、固定するようにしてもよい。
【００１７】
また、この場合、上記下部パネル５の上端に上記箱体１２の枠１０の下側枠部分を載置することができ、また、上記箱体１２の枠１０の上側枠部分に他のパネルを載置することができるようになる。
【産業上の利用可能性】
【００１８】
本発明の正面開放の箱体１２は、下部パネル５の上端に載置する以外に、下部フレーム３上に載置してもよく、また中桟を設けて、その上に載置せしめても良い。また、上記箱体１２の大きさは任意に設定できる。
【符号の説明】
【００１９】
１  支柱
２  溝
３  下部フレーム
４  固定手段
５  下部パネル
６  枠
７a  上側枠部分
７b  下側枠部分
８a  左側枠部分
８b  右側枠部分
９  溝
１０  枠
１１  背板
１２  箱体
１３  ブラインド
１４  ブラケット
【図１】
2010209580.tif 000003
【図２】
2010209580.tif 000004
【図３】
2010209580.tif 000005
【図４】
2010209580.tif 000006